(57)【特許請求の範囲】
【請求項１】
枠体にパネル体を固定して成り、前記枠体の所定箇所にはパネル面に直交する方向に貫通穴が形成されており、前記パネル体には前記貫通穴に対応する箇所にナット収容穴が形成されている床パネル又は、所定箇所にパネル面に直交する方向に貫通穴及びナット収容用穴が形成された床パネルを梁上に取り付ける床パネルの取付構造であって、ボルトがそのねじ部を上方に突出させるようにして前記梁に固定され、受け座が下部に固定された第１ナットを前記ねじ部に軸線方向に移動可能に螺合され、前記ボルトのねじ部及び第１ナットを床パネルの貫通穴に挿通させて床パネルを前記受け座にて支持させるとともに、床パネルの表側から前記貫通穴を利用して第１ナットを回して前記ねじ部の軸線方向に移動させることにより、受け座を上下させることで床パネルのレベル調整をし、前記ねじ部の先端に第２ナットを装着して床パネルを梁に固定したことを特徴とする床パネルの取付構造。
【請求項２】
請求項１に記載の床パネルの取付構造において、前記受け座と床パネルとの間に防振材を介在させたことを特徴とする床パネルの取付構造。
【請求項３】
請求項１又は請求項２に記載の床パネルの取付構造において、前記第１ナットは高ナットであることを特徴とする床パネルの取付構造。
【発明の詳細な説明】
【０００１】
【産業上の利用分野】
この発明は、床パネル及び床パネルの取付構造に関する。
【０００２】
【従来の技術】
建物における床施工においては、梁上に例えばＡＬＣ版等の床パネルを配置して専用の金物にて固定し、この床パネル上に配置する捨て貼り等の下地材を施工する際に床レベルの調整を行い、仕上げのフロアー材を貼るという工程になっている。
【０００３】
【発明が解決しようとする課題】
しかしながら、床パネル自体ではレベル調整を行なうことができず、前述のごとく下地施工の際に下地材を削る等の作業を行なうことになり、床施工に手間がかかる。また、床パネルを梁上に置くため、その固定は梁下から行なうことになり、床上で一人がレベル確認を担当し、もう一人が床下でレベル調整作業を行なうというように、二人での作業が必要となる。
【０００４】
この発明は、上記の事情に鑑み、床パネルのレベル調整を床上側から一人で行なうことが可能であり、また、リフォームや解体などにおいて床パネルを破壊することなく取り外すことができる床パネル及び床パネルの取付構造を提供することを目的とする。
【０００５】
【課題を解決するための手段】
この発明の床パネルは、上記の課題を解決するために、枠体にパネル体を固定して成り、前記枠体の所定箇所にはパネル面に直交する方向に貫通穴が形成されており、前記パネル体には前記貫通穴に対応する箇所にナット収容用穴が形成されていることを特徴とする。
【０００６】
そして、この発明の床パネルの取付構造は、上記床パネル又は、所定箇所にパネル面に直交する方向に貫通穴及びナット収容用穴が形成された床パネルを梁上に取り付ける床パネルの取付構造であって、ボルトがそのねじ部を上方に突出させるようにして前記梁に固定され、受け座が下部に固定された第１ナットを前記ねじ部に螺合させ、前記ボルトのねじ部及び第１ナットを床パネルの貫通穴に挿通させて床パネルを前記受け座にて支持させ、前記ねじ部の先端に第２ナットを装着して床パネルを梁に固定したことを特徴とする。
【０００７】
かかる構成であれば、床パネルの表側から前記貫通穴及びナット収容用穴を利用して前記第１ナットを回すことができる。第１ナットは受け座にて床パネルを支持しており、第１ナットを回すことで床パネルのレベル調整が行なえる。すなわち、床パネルを配置した後でそのレベル調整が床上側から一人で行なうことが可能である。また、床パネルはボルトとナットによって固定されるから、リフォームや解体などにおいて床パネルを破壊することなく取り外すことができる。
【０００８】
前記受け座と床パネルとの間に防振材を介在させておくのがよい。これによれば、音や振動の伝播を低減できる。また、前記第１ナットは高ナットとするのがよい。これによれば、第１ナットを床上側から回すことが容易になる。
【０００９】
【発明の実施の形態】
以下、この発明の実施形態の床パネル及び床パネルの配置構造を図１及び図４に基づいて説明する。
【００１０】
図１に示すように、Ｈ型鋼から成る梁１上に床パネル２…が配置されている。各床パネル２は例えばＰ＝９１０ｍｍとすると、２Ｐ×２Ｐ角の大きさに設定されている。そして、床パネル２の角部及び辺部の中央に対応させてスタッド下側受け具３が予め設けられている。このスタッド下側受け具３によってスタッド５の下端側が支持される。スタッド５の上端部には凸部が形成されており、天井に形成された凹部に係合される。そして、前記スタッド５を用いて間仕切りパネル７を留め付けるようにしている。床パネル２の四隅に切欠きを形成しておけば、床パネル２の角の突き合わせ箇所に凹部が形成され、この凹部に前記スタッド下側受け具３を配置しておくことができる。なお、床パネル２上には仕上げフロアー材４が置かれるのであるが、前記スタッド下側受け具３…に対応する箇所では、穴部を形成しておくと共にこの穴部を塞ぐ蓋状体を装着できるようにし、使用しないスタッド下側受け部材３…上を覆うようにすることができる。
【００１１】
図２（ａ）に示すように、床パネル２は、角筒状の鋼材から成る枠体２ａにパーティクルボードから成るパネル体２ｂを固定して成り、前記枠体２ａの所定箇所にはパネル面に直交する方向に貫通穴２ｃが形成されており、前記パネル体２ｂには前記貫通穴２ｃに対応する箇所にナット（後述するナット１５）収容用の穴２ｄが形成されている。
【００１２】
前記梁１にはボルト１１が下側から差し込まれて固定されている。すなわち、ボルト１１はそのねじ部１１ａを上方向に突出させて設けられており、ねじ部１１ａに螺合させたナット１２によって梁１に固定されている。なお、このボルト１１には弛み止め用のスプリングワッシャが装着されている。ねじ部１１ａには高ナット１３が螺合されている。この高ナット１３の下部には、円盤状の受け座１３ａが溶接によって固定されている。受け座１３ａには防振ゴム１４が装着されている。前記高ナット１３は床パネル２の貫通穴２ｃに挿通できる大きさであり、前記受け座１３ａは貫通穴２ｃよりも大きな径を有する。
【００１３】
床パネル２は、その貫通穴２ｃに前記高ナット１３を挿通させ、前記受け座１３ａによって（防振ゴム１４を介在させた状態で）支持される。この状態において、図２（ｂ）に示しているように、レンチ２０を用い、そのソケット部を穴２ｄ・２ｃから挿通させて高ナット１３に係合させ、この高ナット１３を回すことで受け座１３ａを上下させ、床パネル２のレベル調整を行なうことができる。このレベル調整の後、前記ねじ部１１ａの先端に座金付きナット１５を装着することで、床パネル２が梁１に固定される。座金付きナット１５及びねじ部１１ａの先端はナット収容用穴２ｄ内に位置し、床面から突出することはない。
【００１４】
座金付きナット１５をねじ部１１ａに装着した後に床パネル２上に仕上げフロアー材４を置くことになるが、この仕上げフロアー材４は接着剤等を用いずに置き敷きタイプのものを使用するか、若しくは、接着剤等を使用するにしても容易に仕上げフロアー材４を剥がせるものを使用する。
【００１５】
以上説明したように、床パネル２の表側から前記貫通穴２ｃ・２ｄを利用して前記高ナット１３を回すことができ、この高ナット１３を回すことによって床パネル２のレベル調整が行なえる。すなわち、床パネル２を配置した後でそのレベル調整を床上側から一人で行なうことが可能である。また、床パネル２はボルト１１とナット１５によって梁１に固定されているから、リフォームや解体などにおいて床パネル２を破壊することなく取り外すことができる。
【００１６】
前記受け座１３ａと枠体２ａとの間に防振ゴム１４を介在させてあるので、前記床パネル２で階上床を施工した場合において、階上で発生した音や振動が階下に伝わるの低減できる。また、前記レベル調整用のナットとして高ナット１３を用いるので、これを床上側から回すことが容易になる。
【００１７】
なお、上記実施形態では、床パネル２として、枠体２ａにパネル体２ｂを固定したものを示したが、例えば、床パネルとしてＡＬＣ版を用い、このＡＬＣ版に貫通穴２ｃに相当する貫通穴を形成すると共に貫通穴２ｄに対応する穴（座繰）を形成したものを用いることができる。
【００１８】
【発明の効果】
以上説明したように、この発明の床パネル及び床パネルの取付構造であれば、床パネルを配置した後でそのレベル調整を床上側から一人で行なうことが可能である。また、床パネルはボルトとナットによって固定されているから、リフォームや解体などにおいて床パネルを破壊することなく取り外すことができる。受け座と枠体との間に防振材を介在させておけば、音や振動の伝わりを低減することができる。また、高ナットを用いる構成であれば、これを床上側から回すことが容易になる。
【図面の簡単な説明】
【図１】この発明の実施形態における床パネル及び床パネルの取付構造を示した斜視図である。
【図２】同図（ａ）及び同図（ｂ）は床パネルの取付構造を示した断面図である。
【符号の説明】
１      梁
２      床パネル
２ａ    枠体
２ｂ    パネル体
２ｃ    貫通穴
２ｄ    貫通穴
１１    ボルト
１３    高ナット
１３ａ  受け座
１４    防振ゴム
【図１】
0003936202.tif 000002
【図２】
0003936202.tif 000003